(57)【特許請求の範囲】
【請求項１】
汚水又は濁水から生成された脱水ケーキに砂を混合し、前記脱水ケーキと砂との混合物を破砕し、前記破砕された混合物を乾燥し、前記乾燥された混合物に堆肥、肥料、種子及び接合剤を混合することを特徴とする脱水ケーキを用いた緑化基盤材の製造方法。
【請求項２】
前記堆肥はバーク堆肥を含むことを特徴とする請求項１に記載の脱水ケーキを用いた緑化基盤材の製造方法。
【請求項３】
請求項１又は２に記載の製造方法で製造した緑化基盤材を空気と共に噴射して所定地盤面に吹き付けることを特徴とする緑化基盤材の定着方法。
【発明の詳細な説明】
【０００１】
【発明の属する技術分野】
本発明は、建設現場などの汚水及び濁水から生成された脱水ケーキに好適な脱水ケーキを用いた緑化基盤材の製造方法及び定着方法に関する。
【０００２】
【従来の技術】
近年、環境保全の重要性が認識されており、ダム建設工事などにおいて発生する汚水及び濁水をそのまま廃棄することはできなくなっている。そのため、従来は、汚水及び濁水に凝集沈殿剤を加えてから脱水処理することにより脱水ケーキ（脱水汚泥）を生成し、これを埋め立てなどに利用したり、そのまま捨土処理を行っていた。
【０００３】
【発明が解決しようとする課題】
しかしながら、今後は環境保全の基準が更に厳しくなると予想され、このような状況下においては、従来のように脱水ケーキを捨土処理したり、埋め立てなどに利用できなくなることも考えられ、汚水及び濁水の処理が新たな問題となる可能性がある。
【０００４】
本発明の目的は、このような問題点を解決するためになされたものであり、汚水又は濁水から生成された脱水ケーキを緑化基盤材として有効に利用できる脱水ケーキを用いた緑化基盤材の製造方法及び定着方法を提供することを技術的課題とする。
【０００５】
【課題を解決するための手段】
本発明は脱水ケーキを用いた緑化基盤材及び定着方法であり、前述の技術的課題を解決するために以下のように構成されている。すなわち、本発明の緑化基盤材の製造方法は、汚水又は濁水から生成された脱水ケーキに砂を混合し、前記脱水ケーキと砂との混合物を破砕し、前記破砕された混合物を乾燥し、前記乾燥された混合物に堆肥、肥料、種子及び接合剤を混合することを特徴とする。
【０００６】
堆肥としては、バーク（樹皮）堆肥など、市販の堆肥を使用できる。
【０００７】
また、本発明の緑化基盤材の定着方法は、上述の製造方法で製造した緑化基盤材を空気と共に噴射して所定地盤面に吹き付けることを特徴とする。
【０００８】
本発明の緑化基盤材の製造方法によれば、脱水ケーキを緑化基盤材として活用できるので、環境保護の面から有利になる。また、肥料及び種子は市販されている材料を使用できるので、汎用性がある。
【０００９】
また、本発明の緑化基盤材の定着方法によれば、脱水ケーキに砂を混合し、乾燥させることにより、緑化基盤材が吹き付け装置に付着したりホースが詰まったりするのを防止できる。
【００１０】
【発明の実施の形態】
以下、本発明に係る脱水ケーキを用いた緑化基盤材の製造方法及び定着方法の実施の形態について、図面を参照して詳細に説明する。
【００１１】
図１は  本発明に係る脱水ケーキを用いた緑化基盤材の製造方法及び定着方法を示すフローチャート、図２は本発明を適用した緑化基盤材製造装置及び吹き付け装置を示す図、図３は本発明に係る緑化基盤材を吹き付け材として使用する場合の基本配合を示す図である。
【００１２】
図１に示すように、本発明は、例えばダム建設現場などで汚水又は濁水から生成された脱水ケーキに砂を攪拌混合する（ステップ１１）。ここで、脱水ケーキに砂を混合するのは、ここで製造された緑化基盤材を法面などに吹き付ける場合に、脱水ケーキをそのままの状態で吹き付け機に投入すると、吹き付け機或いはホースなどが閉塞し施工不能になるおそれがあるからである。砂を混合することで、吹き付けシステムへの付着防止、乾燥の促進を図ることができる。なお、脱水ケーキは従来の方法で生成されたものを使用する。
【００１３】
ステップ１１で脱水ケーキと砂とを混合した後、その混合物を適宜な大きさに破砕する（ステップ１２）。次に、破砕された混合部を定量取り出してこれを乾燥し（ステップ１３）、乾燥された混合物から例えば大きさが２０ｍｍ以下の混合物を取り出す（ステップ１４）。
【００１４】
続いて、ステップ１４で取り出された大きさが２０ｍｍ以下の混合物に、バーク（樹皮）堆肥、ピートモス（原生林中に水苔が風化堆積してできた泥炭状のもの）、種子、肥料、接合剤、水などを所定の配合で混合する（ステップ１５）。これによって、緑化基盤材が製造される。なお、これらの堆肥、肥料及び種子などは市販されているものを使用できる。
【００１５】
次に、製造された緑化基盤材を吹き付け装置によって、例えば法面など所定の地盤面に吹き付ける。そして、一定期間養生することにより、緑化基盤材が定着する（ステップ１６）。
【００１６】
図２は、本発明を適用した緑化基盤材製造装置５及び吹き付けシステム７を示す。緑化基盤材製造装置５においては、まず脱水ケーキ５１と砂５２とが所定量ずつ混合される。ここで生成された混合物は、例えばバックホウ５３などで分級機５４に投入されて分級される。
【００１７】
分級機５４から排出された混合物は、ベルトコンベヤ５５で例えば乾燥キルンなどの乾燥装置５６に投入されて乾燥される。ここで乾燥された混合物は、ベルトコンベヤ５７及びフルイ５８を介してホッパー５９に投入される。なお、乾燥機５６の温度は１５０℃程度であるが、脱水ケーキの含水比などに応じて適宜変えることができる。また、フルイ５８では、一定以下の大きさの混合物、例えば大きさが２０ｍｍ以下の混合物を取り出し、これ以上の粒子は除外する。
【００１８】
そして、ホッパー５９から乾燥した混合物（乾燥ケーキ）が所定量ずつ排出され、これがベルトコンベヤ６０を介して自然計量・混合機６１に投入される。一方、別のホッパー６２からバーク（樹皮）堆肥６５が排出され、これがベルトコンベヤ６３を介して自然計量・混合機６１に投入される。更に、自然計量・混合機６１には、種子、肥料及びピートモス、接合剤、水等の混合物６６が投入される。
【００１９】
そして、自然計量・混合機６１で乾燥ケーキ、バーク堆肥６５、種子、肥料及びピートモス、接合剤、水など６６が混合されて、緑化基盤材が完成する。この緑化基盤材は、汎用性のある吹き付けシステム７（例えばモルタルガン、厚層基材を吹き付けて使用するもの）を用いて、その吹き付けガン７１のノズル７２から、例えば緑化すべき法面など所定の地盤面に吹き付けることができる。そして、一定期間養生することによって、緑化基盤材が定着する。なお、図２中の符号７３はコンプレッサである。
【００２０】
汎用の吹き付けシステム７を用いることによって、機械的な制約を受けることなく、どのような工事現場でも容易に緑化基盤材の吹き付けが可能になる。図３は、緑化基盤材を吹き付け材として利用する場合の各成分の基本配合を示す。この配合は、ある工事現場における脱水ケーキを使用した時の配合であり、脱水ケーキの性状が異なれば、配合も変化する。また、種子の量も、吹き付け時期、法面勾配、法面方向、岩質などによって変化する。
【００２１】
このように砂などが所定の割合で配合された緑化基盤材を吹き付けに用いることにより、吹き付けガン７１及びノズル７２に緑化基盤材が付着したり、そのホースなどが閉塞して施工不能になるのを防止できる。
【００２２】
このように、本発明の脱水ケーキを用いた緑化基盤材の製造方法によれば、ダム建設現場などで発生した汚水及び濁水から生成された脱水ケーキ５１に、砂５３と、市販されているバーク堆肥、ピートモス、種子、肥料、接合剤、水などを混合するだけで緑化基盤材を製造できるので、緑化基盤材を低コストで製造できると共に、今後環境保全の基準が厳しくなり、従来のように脱水ケーキを捨土処理したり、埋め立てなどに使用できなくなった場合でも、対応が可能になる。
【００２３】
更に、緑化基盤材は、その殆どが２０ｍｍ以下の粒状になるので、法面に吹き付けられた後も団粒構造を構成することが期待でき、法面からの脱落防止及び長期間に亘る草木の植裁が可能となる。
【００２４】
また、本発明の緑化基盤材の定着方法によれば、吹き付け装置への付着やホースなどの閉塞を防止できる。
【００２５】
なお、上述の実施形態では工事現場から生成された脱水ケーキを用いたが、本発明は、下水及び上水処理場、各種沈殿池などから生成された脱水ケーキを用いることができる。
【００２６】
【発明の効果】
以上説明したように、本発明の緑化基盤材の製造方法によれば、建設現場等で生成された脱水ケーキを緑化基盤材として活用できるので、環境保護の面から有利になる。また、肥料及び種子などは市販されている材料を使用できるので、汎用性がある。
【００２７】
又、本発明の緑化基盤材の定着方法によれば、吹き付け装置に緑化基盤材が付着したりそのホースなどが詰まったりするのを防止できる。
【図面の簡単な説明】
【図１】本発明に係る脱水ケーキを用いた緑化基盤材の製造方法及び定着方法を示すフローチャートである。
【図２】本発明を適用した緑化基盤材の製造装置及び定着方法を示す図である。
【図３】本発明に係る緑化基盤材を吹き付け材として使用する場合の基本配合を示す図である。
【符号の説明】
５  緑化基盤材製造装置
７  緑化基盤材の吹き付けシステム
５１  脱水ケーキ
５２  砂
６５  バーク堆肥
６６  肥料、ピートモス、種子などの混合物
【図１】
0003881256.tif 000002
【図２】
0003881256.tif 000003
【図３】
0003881256.tif 000004